(57)【要約】      （修正有）【課題】コンベアによって電子機器を、移動させる搬送パレットにおいて、搬送パレットが所定位置に停止するまでの間に被電源供給品内部回路に帯電している静電気を確実に除去するようにする。【解決手段】搬送パレット１のアース接続用摺電板９と給電用摺電板８，８は、搬送の過程において、コンベア２のアース接続用接続子１１と給電用接続子１０，１０に接触する。アース接続用摺電板９とアース接続用接続子１１とを接触させるタイミングを搬送パレット１の停止位置の前方位置とし、搬送パレット１を停止位置に停止した状態において、被電源供給品１５の２次側ＧＮＤを確実にアース接続させる。【選択図】図１
2006225072.tif 000002
【特許請求の範囲】
【請求項１】
被電源供給品を載置してコンベアによって移動する搬送パレットにおいて、この搬送パレットの裏面側に前記被電源供給品に交流電源を供給する一対の給電用摺電板と、被電源供給品をアース接続するためのアース接続用摺電板とを設け、前記コンベアの表面側には前記各給電用摺電板と接触する一対の給電用接続子と、前記アース接続用摺電板と接触するアース接続用接続子を前記搬送パレットの搬送方向に沿って並設し、前記コンベア上を搬送方向に移動する電源供給機能を備えた搬送パレットであって、前記アース接続用摺電板を各給電用摺電板より短く形成するとともに、少なくとも前記アース接続用摺電板とアース接続用接続子とを接触させるタイミングを、前記被電源供給品に対する作業を行う際の前記搬送パレットの所定の停止位置の前方としたことを特徴とする電源供給機能を備えた搬送パレット。
【請求項２】
前記被電源供給品が接続プラグを供え、前記パレットの表面側には前記接続プラグと接続して該被電源供給品に交流電源を供給するためのコンセントを設け、このコンセントの給電極と前記給電用摺電板とを電気的に接続すると共に、前記アース接続用摺電板が、前記パレットの表面側に設けられたアース端子と電気的に接続していることを特徴とする請求項１記載の電源供給機能を備えた搬送パレット。
【請求項３】
前記被電源供給品が接続プラグを供え、前記パレットの表面側には前記接続プラグと接続して該被電源供給品に交流電源を供給するための３極コンセントを設け、このコンセントに備えた給電極と前記給電用摺電板とを電気的に接続すると共に、前記コンセントに備えたアース極と前記アース接続用摺電板とを電気的に接続していることを特徴とする請求項１記載の電源供給機能を備えた搬送パレット。
【発明の詳細な説明】
【技術分野】
【０００１】
本発明は、例えば、被電源供給品である電子機器を載置して、コンベアによって電子機器を組み立て製造ラインに沿って移動させる搬送パレット、特に被電源供給品の搬送パレット停止位置における、搬送パレットをアース接続して電子機器の半導体やマイコンへの電荷の流入による破壊を防止する電源供給機能を備えた搬送パレットに関する。
【背景技術】
【０００２】
従来の被電源供給品である電子機器の組み立ては、コンベアによって移動する搬送パレットに電子機器を載置して製造ラインに沿って移動させている。このような、製造ラインにおいて、組み立て時、あるいは組み立て後において、電子機器の各部の機能が正常に動作しているか否かを調べるために、電子機器に電源を供給して各種の動作試験を行なう場合があるが、搬送パレットに静電気が帯びた状態で電子機器に電源を供給された場合、回路を構成する半導体部品やマイコンを破壊する等、様々な弊害を誘発する。このため、従来から、被電源供給品を載置して搬送する搬送パレットにおいて、少なくとも搬送パレット停止位置で搬送パレットをアース接続して該搬送パレットに帯電する静電気を放電するように構成した技術が提案されている。
【０００３】
例えば特許文献１で示す搬送パレットは、搬送パレット表面を導電性マットなどで構成するとともに、搬送パレットの上面に金属箔テープの両端が位置するように、金属箔テープを搬送パレットの上面から側面及び裏面に掛けて接着し、その金属箔テープと導電性マットとを導電性テープによって接着するとともに、コンベア側に導電性のストッパーローラを上下動自在に配置し、搬送パレットの搬送中にはストッパーローラを下降させて金属箔テープと接触し、搬送パレットの停止時に搬送パレットに接触させた金属のストッパー当り板を接触させることに搬送パレットに帯電する静電気をコンベア側に放電するように構成している。また、特許文献２には、前進時には搬送コンベアにより搬送される帯電可能な搬送物の先端面に当接して該搬送物を停止すると共に、後退時には搬送される前記搬送物の表面に転動状態に当接可能なストッパー兼用導電リングと、前記ストッパー兼用導電リングを支持しかつ往復動させるリング駆動手段と、一端が前記ストッパー兼用導電リングに導通されると共に他端が接地部材に導通される線状のアース手段とを備えた静電気除去装置を用いて、前記リング駆動手段が前記ストッパー兼用導電リングを前進させるよう駆動し、前記ストッパー兼用導電リングが搬送される前記搬送物の先端面に当接してこれを一時的に停止させ、このときの当接により前記搬送物に帯電した静電気を前記アース手段が接地部材に導通して除去し、その後、前記リング駆動手段が前記ストッパー兼用導電リングを後退させるよう駆動して前記搬送物の搬送を許容し、搬送される前記搬送物の表面に前記ストッパー兼用導電リングを当接させて転動させることにより前記搬送物に帯電した静電気を前記アース手段が接地部材に導通して除去するように構成した静電気除去装置が開示されている。
【０００４】
さらに、特許文献３には、被電源供給品である電子機器を載置する搬送パレットは、その表側に被電源供給品に電源を供給するため３極のコンセントを設け、このコンセントに被電源供給品の接続プラグを接続した状態で搬送パレットによって電子機器を製造ラインに沿って搬送するとともに、該搬送パレットの裏側に前記コンセントと電気的に接続された一対の電源供給端子とアース端子とを内蔵するソケット部を設けるとともに、コンベアの表面側には前記ソケット部に対して挿脱可能な電動コネクタを上下動自在に設け、この電動コネクタを搬送パレットと当接する当接スイッチによって制御し、その当接スイッチによって搬送パレットを所定位置に停止させた際に、前記当接スイッチからの信号によって、前記電動コネクタを上昇させて前記搬送パレット裏側に設けた前記ソケットと接続させ、その電動コネクタとソケットとの接続によって前記被電源供給品に電源が供給されるとともに、前記被電源供給品の２次側をアース接続するように構成している組立ラインの電源供給構造が開示されている。
【０００５】
【特許文献１】特開平７−６１５７９号公報
【特許文献２】特開２００１−１９１５６号公報
【特許文献３】特開平６−３２４３５号公報
【発明の開示】
【発明が解決しようとする課題】
【０００６】
しかし、前述した特許文献１及び特許文献２に示す構造は、少なくとも搬送パレット停止位置において、搬送パレットとコンベアとを導電性部材で接続させて、搬送パレットに帯電する静電気をコンベアへと放電させているものであるから、搬送パレットに載置された被電源供給品である電子機器に帯電する静電気を確実に放電するものではない。すなわち、被電源供給品である電子機器に帯電する静電気をコンベアへと放電させるためには、電子機器の外郭となる筐体が導電性材料によって構成され、その筐体と搬送パレットとを接触させる必要があり、例えば、電子機器の筐体が非導電性の合成樹脂材料から形成されていたり、あるいは筐体の底部に非導電性材料から成るクッションゴムが装着され、そのクッションゴムを介して搬送パレットと接触している場合、単に搬送パレットとコンベアとが同電位となるように導電性部材によって搬送パレットとコンベアとを接続させていたとしても、搬送パレットに載置する電子機器に帯電する静電気を除去することが困難となる。
【０００７】
この点に関し、特許文献３に示す組立ラインの電源供給構造は、アース端子を備えた３極のコンセントが搬送パレットに設けられ、その搬送パレットの裏側に前記コンセントと電気的に接続された一対の電源供給端子とアース端子と内蔵するソケット部が設けてあり、搬送パレットを所定位置に停止させた際、コンベア側に設けた電動コネクタを上昇させて搬送パレットの裏側に設けた前記ソケットと接続させるものであるから、電子機器の接続プラグをコンセントに接続させることによって、電子機器の２次側ＧＮＤを確実にアース接続することが可能となる。しかしながら、前記特許文献３で示す組立ラインの電源供給構造においては、搬送パレットと当接する当接スイッチを設け、この近接スイッチによって搬送パレットを所定位置に停止させた際に、当接スイッチからの信号によって、コンベア側の電動コネクタを上昇させて搬送パレット裏側に設けたソケットと接続させるように構成しているため、電動コネクタを上昇させるための駆動手段や、これら電動コネクタを制御するために制御手段が必要となり、構造が複雑化するとともに、製造コストも上昇する。さらに、電動コネクタの上下動に連動して電子機器のリーク電流や静電気の放電を行うため、電子機器の調整機器や検査機器に代表される外部機器との接続のタイミングが２次側ＧＮＤからの放電より早かった場合、該外部機器と前記被電源供給品との間に電位差が生じてしまい、予期しない電流が発生し、被電源供給品内部回路を構成する半導体部品やマイコンを破壊する恐れがある。
【０００８】
本発明は上記課題を鑑みてなされたものであり、簡単な構造で搬送パレット上に載置した被電源供給品内部回路に帯電しているリーク電流あるいは静電気を放電させることができるとともに、少なくとも搬送パレットが所定位置に停止するまでの間に被電源供給品内部回路に帯電しているリーク電流あるいは静電気を確実に除去することを可能とする電源供給機能を備えた搬送パレットを提供することを目的とする。
【課題を解決するための手段】
【０００９】
請求項１に係る電源供給機能を備えた搬送パレットは、被電源供給品を載置してコンベアによって移動する搬送パレットにおいて、この搬送パレットの裏面側に前記被電源供給品に交流電源を供給する２極一対の給電用摺電板と、被電源供給品をアース接続するためのアース接続用摺電板とを設け、前記コンベアの表面側には前記各給電用摺電板と接触する２極一対の給電用接続子と、前記アース接続用摺電板と接触するアース接続用接続子を前記搬送パレットの搬送方向に沿って並設し、前記コンベア上を搬送方向に移動する電源供給機能を備えた搬送パレットであって、前記アース接続用摺電板を各給電用摺電板より短く形成するとともに、少なくとも前記アース接続用摺電板とアース接続用接続子とを接触させるタイミングを、前記被電源供給品に対する作業を行う際の前記搬送パレットの所定の停止位置の前方としたことを特徴とする。
【００１０】
請求項１の構成によれば、前記搬送パレット上に被電源供給品を載置し、搬送パレットの搬送時に給電用接続子と給電用摺電板が接触するとともに、アース接続用摺電板とアース接続用接続子が接触する。これにより、搬送パレット上の被電源供給品の１次側に給電用摺電子及び給電用摺電板を通して交流電源を供給され、被電源供給品の２次側ＧＮＤはアース接続用接続子及びアース接続用摺電板を通しアース接続される。この際、アース接続用接続子と前記アース接続用摺電板の接触タイミングを、所定の搬送パレット停止位置に前記搬送パレットが到達する前方としているので、前記搬送パレット停止位置に前記搬送パレットが停止する前に前記被電源供給品の２次側ＧＮＤを自動的にアース接続することができる。
【００１１】
請求項２に係る電源供給機能を備えた搬送パレットは、請求項１記載の電源供給機能を備えた搬送パレットにおいて、前記被電源供給品が接続プラグを供え、前記パレットの表面側には前記接続プラグと接続して該被電源供給品に交流電源を供給するためのコンセントを設け、このコンセントの給電極と前記給電用摺電板とを電気的に接続すると共に、前記アース接続用摺電板が、前記パレットの表面側に設けられたアース端子と電気的に接続していることを特徴とする。
【００１２】
請求項２の構成によれば、請求項１記載の前記電源供給機構を備えた搬送パレットは、表面側に交流電源を供給するためのコンセントが設けてあり、該コンセントに備える一対の給電極と前記給電用摺電板が配線コードなどの配線手段により電気的に接続されているので、該コンセントに前記被電源供給品が有している接続プラグを接続することにより、該接続プラグを通して、前記被電源供給品と給電用摺電板との電気的接続を容易に行うことができる。また、前記アース接続用摺電板が、前記搬送パレット表面に設けたアース端子と配線コードなどの配線手段により電気的に接続されているので、該端子と前記被電源供給品の２次側ＧＮＤとを接続コードで接続することにより、該接続コードを通して前記被電源供給品の２次側ＧＮＤと前記アース接続用摺電板との電気的接続を容易に行うことができる。
【００１３】
請求項３に係る電源供給機能を備えた搬送パレットは、請求項１記載の電源供給機能を備えた搬送パレットにおいて、前記被電源供給品が接続プラグを供え、前記パレットの表面側には前記接続プラグと接続して該被電源供給品に交流電源を供給するための３極コンセントを設け、このコンセントに備えた給電極と前記給電用摺電板とを電気的に接続すると共に、前記コンセントに備えたアース極と前記アース接続用摺電板とを電気的に接続していることを特徴とする。
【００１４】
請求項３の構成によれば、請求項１記載の前記電源供給機構を備えた搬送パレットは、表面側に交流電源を供給するための３極コンセントが設けてあり、該コンセントに備える一対の給電極と前記給電用摺電板が配線コードなどの配線手段により電気的に接続されているので、該コンセントに前記被電源供給品が有している接続プラグを接続することにより、該接続プラグを通して、前記被電源供給品と給電用摺電板との電気的接続を容易に行うことができる。また、前記アース接続用摺電板が、前記コンセントに備えるアース極と配線コードなどの配線手段により電気的に接続されているため、被電源供給品の２次側ＧＮＤと電気的に接続されているアース線入りの３極接続プラグであれば、前記接続プラグを前記コンセントに挿入することで、前記接続プラグのアース極及び前記コンセントのアース極を通し、被電源供給品の２次側ＧＮＤとアース接続用摺電板との電気的接続を容易に行うことができる。
【発明の効果】
【００１５】
請求項１に係る電源供給機能を備えた搬送パレットの発明によれば、被電源供給品を載置してコンベアによって移動する搬送パレットにおいて、この搬送パレットの裏面側に前記被電源供給品に交流電源を供給する一対の給電用摺電板と、被電源供給品をアース接続するためのアース接続用摺電板とを設け、前記コンベアの表面側には前記各給電用摺電板と接触する一対の給電用接続子と、前記アース接続用摺電板と接触するアース接続用接続子を前記搬送パレットの搬送方向に沿って並設し、前記コンベア上を搬送方向に移動する電源供給機能を備えた搬送パレットであって、前記アース接続用摺電板を各給電用摺電板より短く形成するとともに、少なくとも前記アース接続用摺電板とアース接続用接続子とを接触させるタイミングを、前記被電源供給品に対する作業を行う際の前記搬送パレットの所定の停止位置の前方としたものであるから、搬送パレットが所定の停止位置に停止する直前に、確実に前記被電源供給品のアース接続されている状態となっている。これにより、搬送パレット停止位置において前記被電源供給品に検査機器などを接続した時に、帯電している被電源供給品と外部機器の間に電位差が生じてリーク電流が発生したり、あるいは静電気の帯電によって前記被電源供給品内部の半導体やマイコンに電荷が流入して破壊するなどの電気的トラブルを未然に防ぐことができる。また、常にアース接続をする必要は無く、前記外部機器が前記被電源供給品の２次側と接続をする前にアース接続を行えば良いので、前記アース接続用摺電板は、前記給電用摺電板よりも短くすることができ、また前記アース接続用接続子も前記搬送パレット停止位置前方に最低１つ設ければ良く、更に前記アース接続用接続子及び摺電板を前記給電用接続子及び摺電板と同じ部材で構成することが可能なので、設備の複雑化やコストアップを最小限に抑えることができる。
【００１６】
請求項２に係る電源供給機能を備えた搬送パレットによれば、請求項１記載の電源供給機能を備えた搬送パレットにおいて、前記被電源供給品が接続プラグを備え、前記パレットの表面側には前記接続プラグと接続して該被電源供給品に交流電源を供給するためのコンセントを設け、このコンセントの一対の給電極と前記給電用摺電板とが電気的に接続されているものであるから、コンセントに被電源供給品の接続プラグを接続するだけで、搬送パレット上に載置される被電源供給品に容易に給電することが可能となる。また、前記アース接続用摺電板が、前記パレットの表面側に設けられたアース端子と電気的に接続されているから、被電源供給品の２次側ＧＮＤとアース端子を接続コードなどで接続することにより、被電源供給品の２次側ＧＮＤをアース接続することができる。これにより、前記被電源供給品の２次側に帯電しているリーク電流や静電気を放電することができる。
【００１７】
請求項３に係る電源供給機能を備えた搬送パレットは、請求項１に記載の電源供給機能を備えた搬送パレットにおいて、前記被電源供給品が接続プラグを備え、前記搬送パレットの表面側には前記接続プラグと接続して該被電源供給品に交流電源を供給するための３極コンセントを設け、このコンセントの一対の給電極と前記給電用摺電板とが電気的に接続されているものであるから、コンセントに被電源供給品の接続プラグを接続するだけで、搬送パレット上に載置される被電源供給品に容易に給電することが可能となる。また、前記アース接続用摺電板が、前記コンセントのアース極と電気的に接続されているため、被電源供給品の２次側ＧＮＤと電気的に接続されているアース線入りの３極接続プラグをコンセントに接続するだけで、アース接続用摺電板と被電源供給品の２次側ＧＮＤを電気的に接続することができる。これにより、前記被電源供給品の２次側ＧＮＤを３極接続プラグのアース極を通してアース接続を行い、２次側に帯電しているリーク電流や静電気を放電することができる。
【発明を実施するための最良の形態】
【００１８】
以下、本発明を実施するための最良の形態としての実施例を図１から図３を参照して説明する。もちろん、本発明は、その発明の趣旨に反さない範囲で、実施例において説明した以外のものに対しても容易に適用可能なことは説明を要するまでもない。
【実施例１】
【００１９】
図１〜図３は、本発明の実施例１を示し、図１は、本発明の構造を示す所定位置に停止している搬送パレットの側面図であり、図２は所定位置に停止している前記搬送パレットの裏面図である。図３は前記搬送パレットが所定の搬送パレット停止位置Ａに停止する前後における、前記アース接続用摺電板と前記アース接続用接続子の接触状態を示す側面図であり、（ａ）は搬送パレット停止位置Ａに停止する前、（ｂ）は搬送パレット停止位置Ａに停止する直前、（ｃ）は搬送パレット停止位置Ａに停止した状態を示している。
【００２０】
本実施例において、図１及び図２が示すように、１はコンベア２によって搬送される搬送パレットである。コンベア２の構造としては、特に限定されるものでないが、例えば、コンベアフレーム３に複数の搬送ローラ４を所定間隔毎に取り付けて構成され、その搬送ローラ４の回転により、例えば、搬送パレット１に載置したテレビジョン受像機などの被電源供給品１５を製造ラインに沿って搬送する。搬送パレット１の表面側には前記被電源供給品１５に電源を供給するためのコンセント５とアース端子６とが設けられ、該コンセント５に内蔵する２極一対の給電極５ａとアース端子６には、例えば配線コード７などの適宜配線手段によって搬送パレット１の裏面側に設けた左右一対の給電用摺電板８，８と、アース接続用摺電板９とが電気的に接続されている。これら給電用摺電板８，８とアース接続用摺電板９は図２に示すように、それぞれ帯板状に形成されており、給電用摺電板８，８は前記搬送パレット１のほぼ全長に渡って搬送パレット１の両側に配置される。アース接続用摺電板９は、前記給電用摺電板８，８のほぼ１／３の長さであって、各給電用摺電板８，８にそれぞれ接触しないように搬送パレット１に配置されている。また、給電用摺電板８，８とアース接続用摺電板９は、前記搬送パレット１の進行方向前端側を揃えるようにして搬送パレット１の移動方向に沿うように形成されている。
【００２１】
一方、前記コンベア２の表面側には、給電用摺電板８，８と対応する給電用接続子１０，１０とアース接続用摺電板９と対応するアース接続用接続子１１とが設けられている。すなわち、給電用接続子１０，１０は給電用摺電板８，８の間隔と対応して左右に及び前後に間隔をおいて設けられ、アース接続用接続子１１はアース接続用摺電板９に対応する位置でコンベア２上に設けられている。これら給電用接続子１０，１０とアース接続用接続子１１は、それぞれフレーム体１２に固定した取付アーム１３に軸支する回転ローラ１４によって構成され、回転ローラ１４が搬送パレット１の移動に連動して回転し、給電用接続子１０，１０及びアース接続用接続子１１と接触する。なお、前記コンベア２には前記搬送パレット１の位置を検知する図示しない検知手段が設けられており、この検知手段からの検知信号に基づいて前記搬送パレット１を搬送パレット停止位置Ａでコンベア２を停止するように制御している。
【００２２】
また、前記被電源供給品１５の背面側には例えば前記被電源供給品１５の内部に収納された回路基板（図示しない）の２次側ＧＮＤと接続されたアース部として例えばアンテナケーブル１６を接続するアンテナ端子１７が設けられ、そのアンテナ端子１７に接続するアンテナケーブル１６のアース線（図示しない）を搬送パレット１の表面に設けたアース端子６に接続する。なお、図１において符号２０は給電用接続子１０，１０と電気的に接続される交流電源供給装置であり、給電用接続子１０，１０と給電用摺電板８，８との接続時において、給電用接続子１０，１０、給電用摺電板８，８、配線コード７を介して搬送パレット１上に設けたコンセント５の２極の給電極５ａに交流電源が供給される。
【００２３】
以上のように構成される本実施例においては、図３に示すように、コンベアフレーム３に設けた搬送ローラ４の回転により、搬送パレット１に載置した被電源供給品１５を製造ラインに沿って搬送し、検出手段（図示しない）によって搬送パレット１を搬送パレット停止位置Ａに停止させる。この搬送パレット停止位置Ａでは例えば、被電源供給品１５の各部の調整作業を行うが、その際、図３（ｂ）で示すように、搬送パレット停止位置Ａで搬送パレット１を停止する前に、搬送パレット１の裏面側に設けたアース接続用摺電板９がコンベア２の表面側に設けたアース接続用接続子１１と接触する。なお、図３には給電用摺電板８，８と給電用接続子１０，１０を省略しているが、アース接続用摺電板９と給電用摺電板８，８はコンベア２の進行方向前端側を揃えているものであるから、アース接続用摺電板９とアース接続用接続子１１が接触する前に給電用摺電板８，８と給電用接続子１０，１０が接触しており、図３（ｃ）で示すように搬送パレット１が搬送パレット停止位置Ａに停止した状態においては、アース接続用摺電板９とアース接続用接続子１１と接触し、給電用摺電板８，８と給電用接続子１０，１０とが接触した状態にある。このように、搬送パレット１を搬送パレット停止位置Ａに停止した状態において、被電源供給品１５の背面側に設けたアンテナ端子１７にアンテナケーブル１６を接続し、そのアース線（図示せず）を搬送パレット１の表面に設けたアース端子６に接続し、さらに、被電源供給品１５の接続プラグ１９を搬送パレット１の表面に設けたコンセント５に接続することによって、被電源供給品１５に交流電源を供給し、各部の調整を行なう。この後、調整作業を終了し、コンベアの末端まで到達した段階で被電源供給品１５の接続プラグ１９をコンセント６から抜き、さらに、アンテナケーブル１６を取り外して次工程へと被電源供給品１５へと搬送する。
【００２４】
以上のように、本実施例においては、搬送パレット１の搬送によって、アース接続用摺電板９とアース接続用接続子１１が接触するとともに、給電用摺電板８，８と給電用接続子１０，１０とが接触し、かつ、アース接続用摺電板９とアース接続用接続子１１とを接触させるタイミングを搬送パレット１の搬送パレット停止位置の前方位置とすることにより、被電源供給品１５の２次側ＧＮＤを、搬送パレット停止位置Ａにおいて確実にアース接続させることができる。このように、搬送パレット停止位置Ａにて行なわれる各種調整作業が行われる前に、確実に前記被電源供給品１５の２次側ＧＮＤをアース接続させることによって、搬送パレット停止位置Ａにおいて例えば、被電源供給品１５に検査機器などに接続して波形を観察した場合などにおいて、被電源供給品１５と検査機器とに電位差が生じてリーク電流が発生したり、あるいは静電気の帯電によって被電源供給品内部の半導体やマイコンに電荷が流入して破壊するなどの電気的トラブルを未然に防ぐことができる。また、このような被電源供給品１５の調整あるいは検査時以外の搬送時には、被電源供給品１５を常時、アースする必要は無いので、アース接続用摺電板９は、給電用摺電板８よりも短く形成しても支障がなく、このように、アース接続用摺電板９は、給電用摺電板８よりも短く形成することで搬送パレット１の製造コストを削減することができる。また、搬送パレット１の表面に交流電源を供給するためのコンセント５が設けてあり、このコンセント５に被電源供給品１５の接続プラグ１９を接続するだけで、被電源供給品１５と給電用摺電板８、ひいては交流電源供給装置２０と簡単に電気的に接続することができる。また、給電用接続子１０，１０とアース接続用接続子１１を、それぞれフレーム体１２の取付アーム１３に軸支する回転ローラ１４によって構成することによって、これら給電用接続子１０，１０及びアース接続用接続子１１と給電用摺電板８及びアース接続用摺電板９とを接触させる際、摩擦などによる抵抗も少なく、スムーズに接触させることができるとともに、摩擦粉などの発生も抑制することができ、給電用接続子１０，１０及びアース接続用接続子１１と給電用摺電板８及びアース接続用摺電板９との接続を安定的に保つことができる。
【実施例２】
【００２５】
図４および図５は、本発明の実施例２を示したものであり、前記実施例１と同一部分には同一符号を付し、重複する部分の説明を省略し、異なる部分についてのみ説明する。本実施例では、コンセント５が、アース極５ｂを備えた３極コンセント５で構成され、そのアース極５ｂと搬送パレット１の裏面側に設けたアース接続用摺電板９と配線コード７によって接続されている。また、前記被電源供給品１５はアース端子（図示しない）を備えた３極交流用の接続プラグ１９ａで構成されており、この接続プラグ１９ａをコンセント５に接続することによって、前記被電源供給品の２次側ＧＮＤがコンセント５のアース極５ｂを介してアース接続される。また、アース接続用摺電板９とアース接続用接続子１１とを接触させるタイミングは前記実施例１と同様、搬送パレット１の搬送パレット停止位置の前方位置である。これにより、搬送パレット停止位置Ａにおいて被電源供給品１５の２次側ＧＮＤを確実にアース接続させることができ、搬送パレット停止位置Ａにおいて例えば、被電源供給品１５に検査機器などに接続して波形を観察した場合などにおいて、被電源供給品１５と検査機器とに電位差が生じてリーク電流が発生したり、あるいは静電気の帯電によって被電源供給品１５内部の半導体やマイコンに電荷が流入して破壊するなどの電気的トラブルを未然に防ぐことができる。さらに本実施例では、コンセント５をアース極５ｂを備えた３極コンセントとし、そのアース極５ｂをアース接続用摺電板９に接続することによって、コンセント５に被電源供給品１５の３極の接続プラグ１９ａを接続するだけで、被電源供給品１５への交流電源の供給とともに、被電源供給品１５の２次側ＧＮＤを確実にアース接続させることができる。したがって、前記実施例1に示すように、別途、アンテナ端子１７に接続したアンテナケーブル１６のアース線（図示しない）を搬送パレット１の表面に設けたアース端子６に接続する場合に比べて極めて簡単にアース接続することができ、アース接続に伴う結線作業を簡略化することができる。
【００２６】
以上、本発明の実施例について詳述したが、本発明の前記各実施例に限定されるものではなく、本発明の要旨の範囲内で種々の変形実施は可能である。例えば、前記各実施例では、アース接続用摺電板９を帯板状に形成した例を示したが、アース接続用摺電板９の形状は、特に限定されるものではなく、少なくともパレット本体２裏側に設けられた給電用摺電板８に代表される前記アース接続用摺電板９以外の導電性物質と接触せず、最小で前記搬送パレット１の停止直前から停止中の間にアース接続用接続子１１と接触していることができる十分な長さと幅を有していればよい。また、給電用接続子１０，１０とアース接続用接続子１１を、それぞれフレーム体１２の取付アーム１３に軸支する回転ローラ１４によって構成した例を示したが、必ずしもこの構造に限定されるものではなく、単に給電用摺電板８，８と給電用接続子１０，１０と弾性的に接触する構造であってもよい。さらに、コンベア２の構造も前記実施例に限定されるものではなく、適宜選定すればよい。
【図面の簡単な説明】
【００２７】
【図１】本発明の実施例１における、電源供給機能を備えた搬送パレットを示す側面図である。
【図２】同上、図１で示す搬送パレットの裏面図である。
【図３】同上、搬送パレットの移動動作を示す側面図であり、図３（ａ）はアース接続用摺電板とアース接続用接続子とが接続する直前の状態、図３（ｂ）は搬送パレット停止位置の直前でかつ、アース接続用摺電板とアース接続用接続子とが接続した状態、図３（ｃ）は搬送パレット停止位置で停止した状態を示している。
【図４】本発明の実施例２における、搬送パレット上のコンセントに３極交流用コンセントを用いた例を示す側面図である。
【図５】同上、図４で示めす搬送パレットの裏面図である。
【符号の説明】
【００２８】
１  搬送パレット
２  コンベア
５  コンセント
６  アース端子
８  給電用摺電板
９  アース接続用摺電板
１０  給電用接続子
１１  アース接続用接続子
１５  被電源供給品
１９，１９ａ  接続プラグ
Ａ  搬送パレット停止位置
【図１】
2006225072.tif 000003
【図２】
2006225072.tif 000004
【図３】
2006225072.tif 000005
【図４】
2006225072.tif 000006
【図５】
2006225072.tif 000007